(57)【要約】【課題】据付時間や検査時間を短縮してこれらの作業性の向上に寄与し、据付精度のばらつきをなくして、据付精度を向上させるとともに、水準器を当てがう作業員が不要になる可動堰やゲートなどの扉体昇降式堰止め・締切り装置を提供する。【解決手段】可動堰は、戸当り２の幅方向前端に上下方向にのびて固定された一対の案内板３，３と、案内板３，３と戸当り２の間に幅方向両端部が介在する扉体４と、この扉体４の後面に設けた扉体側止水板５と、戸当り２に設けられて扉体側止水板５に圧接して止水する戸当り側止水板６とを備えており、戸当り２の上端横架部２Ｂの水平面２ａにおける一側に偏った位置に、戸当り２の垂直度（上流側より見て、前後左右）および水平度を確認できる水準器１２を取付ける。【選択図】        図１
2004190243.tif 000002
【特許請求の範囲】
【請求項１】
水路の放流端に取付けられる枠状の戸当りと、この枠状の戸当りの幅方向両端部の前側に上下方向にのびて固定された一対の案内板と、これら案内板と前記枠状の戸当りの間に幅方向両端部が介在する扉体と、この扉体の後面に設けた扉体側止水板と、前記戸当りに設けられて前記扉体側止水板に圧接して止水する戸当り側止水板とを備え、前記扉体が昇降して呑口を開閉するように構成された可動堰やゲートなどの扉体昇降式堰止め・締切り装置において、据付姿勢の垂直度および水平度を確認できる水準器が取付けられていることを特徴とする可動堰やゲートなどの扉体昇降式堰止め・締切り装置。
【発明の詳細な説明】
【０００１】
【発明の属する技術分野】
本発明は、可動堰やゲートなどの扉体昇降式堰止めまたは締切り装置に係り、さらに詳しくは、下水処理場や浄水場における流量制御や水位調整あるいは工業用水路や農業用水路の取水口、放水口などでの流量制御、堰止めなどに使用される可動堰や前記流路の開閉または締切りなどに使用されるゲートのような扉体昇降式堰止め・締切り装置に関する。
【０００２】
【従来の技術】
この種の装置として、本願出願人は、先に出願しているものがある（特願２００１−２１０３０２号（図１、図４））。
【０００３】
この先に出願しているものは、図３および図４に示すように、下水処理場や浄水場における流量制御または水位調整あるいは工業用水路や農業用水路の取水口または放水口の流量制御または堰止めなどに使用される可動堰は、四角形呑口２Ａを設けて水路１の放流端に取付けた枠状の戸当り２と、この枠状の戸当り２の幅方向前端に上下方向にのびて固定された一対の案内板３，３（ただし、図３には１つの案内板３のみが示されている）と、これら案内板３，３と枠状の戸当り２の間に幅方向両端部が介在する扉体４と、この扉体４の幅方向両端部４Ａ，４Ａそれぞれの前面（図４の左側の面）に案内板３，３の後面が押圧可能に取付けられ、かつ押圧反力により扉体４を後方（図４の右側）に付勢して後面の扉体シート（扉体側止水板）５を呑口２Ａの周辺部の前面に設けた枠状戸当りシート（戸当り側止水板）６に圧接させて止水する４個の第１扉体保持装置１１，１１…および４個の第２扉体保持装置１１Ａ，１１Ａ…とを備え、図示していない開閉装置の操作によってスピンドル（弁棒）９を介して扉体４および該扉体４に取付けた堰板１０が昇降するように構成されている。なお、扉体シート５は扉体４の後面の全面に設けられ、枠状の戸当り２の前面に設けた枠状戸当りシート６に圧接して止水するようになっている。
【０００４】
【発明が解決しようとする課題】
ところで、前記従来の可動堰では、据付の都度、水準器をたとえば枠状の戸当り２に当てがい、戸当り２の垂直度｛上流側（図４の左側）より見て、前後左右｝および水平度を確認しながら芯出ししてアンカーセットを行っていた。また、据付検査時には、水準器を用意し、用意した水準器を使用して据付状態の確認、つまり可動堰の垂直度（上流側より見て、前後左右）および水平度を確認ししていた。したがって、据付作業中や検査時において水準器を何度もたとえば枠状の戸当り２に当てがって確認する必要があるので、手間がかかり据付時間が長くなって据付作業性を低下させているとともに、検査時間が長くなって検査を困難にしていた。また、水準器の当て方によって据付精度にばらつきが生じるばかりか、水準器を当てがう作業員が必要であるなどの難点を有していた。これらのことは、可動堰のみならず下水処理場や浄水場における流量制御や工業用水路や農業用水路の取水口、放水口などでの締切りなどに使用されるゲートにも言えることである。
【０００５】
本発明は、このような事情を考慮してなされたもので、据付時間や検査時間を短縮してこれらの作業性の向上に寄与し、据付精度のばらつきをなくして、据付精度を向上させるとともに、水準器を当てがう作業員が不要になる可動堰やゲートなどの扉体昇降式堰止め・締切り装置を提供することを目的としている。
【０００６】
【課題を解決するための手段】
前記目的を達成するために、本発明に係る可動堰やゲートなどの扉体昇降式堰止め・締切り装置は、水路の放流端に取付けられる枠状の戸当りと、この枠状の戸当りの幅方向両端部の前側に上下方向にのびて固定された一対の案内板と、これら案内板と前記枠状の戸当りの間に幅方向両端部が介在する扉体と、この扉体の後面に設けた扉体側止水板と、前記戸当りに設けられて前記扉体側止水板に圧接して止水する戸当り側止水板とを備え、前記扉体が昇降して呑口を開閉するように構成された可動堰やゲートなどの扉体昇降式堰止め・締切り装置において、据付姿勢の垂直度および水平度を確認できる水準器が取付けられていることを特徴としている。
【０００７】
本発明によれば、取付けられている水準器を目視することによって、可動堰やゲートなどの扉体昇降式堰止めまたは締切り装置の垂直度（上流側より見て、前後左右）および水平度を確認しながら芯出ししてアンカーセットを行うことで、垂直度および水平度を有する適正な据付姿勢で据付けることができるとともに、取付けられている水準器を目視することによって据付検査を行うことができる。
【０００８】
【発明の実施の形態】
以下、本発明の一実施の形態を図面に基づいて説明する。なお、水路１、枠状の戸当り２、呑口２Ａ、一対の案内板３，３、扉体４、扉体シート（扉体側止水板）５、枠状戸当りシート（戸当り側止水板）６、スピンドル（弁棒）９、扉体４に取付けた堰板１０、第１扉体保持装置１１，１１…、第２扉体保持装置１１Ａ，１１Ａ…などの構成は、従来例と同じであるので重複した説明を省略し、かつ図３および図４の従来例と同一もしくは相当部分には同一符号を付す。
【０００９】
図１は本発明の一実施の形態を示す半截正面図であり、図示していない開閉機が枠状の戸当り２上位の躯体床部に取付けられるセパレートタイプの可動堰を示している。また、図２は要部の一実施の形態を示す拡大平面図であり、これらの図において、枠状の戸当り２の上端横架部２Ｂの上面における一側（上流側より見て、たとえば左側、つまり図１の左側）に偏った位置に、戸当り２の垂直度（上流側より見て、前後左右）および水平度を確認できる水準器１２が取付けられている。この水準器１２は、戸当り２の垂直度（上流側より見て、前後）を確認できる第１の水準器１２Ａと、戸当り２の垂直度（上流側より見て、左右）を確認できる第２の水準器１２Ｂとを備えている。
【００１０】
このような構成であれば、枠状の戸当り２における上端横架部２Ｂの上面に取付けられている第１の水準器１２Ａと第２の水準器１２Ｂを目視することによって、可動堰の垂直度（上流側より見て、前後左右）および水平度を確認しながら芯出ししてアンカーセットを行うことで、垂直度および水平度を有する適正な据付姿勢で可動堰を据付けることができるとともに、取付けられている水準器１２Ａ，１２Ｂを目視することによって据付検査を容易に行うことができる。したがって、従来のように、据付作業中や検査時において水準器を何度もたとえば枠状の戸当り２に当てがって確認する煩雑な手間をかける必要がない。このため、据付時間や検査時間を短縮してこれらの作業性の向上に寄与することができる。しかも、第１の水準器１２Ａと第２の水準器１２Ｂは、可動堰の製造メーカにおいて適正な状態で上端横架部２Ｂの上面に取付けることができるので、据付精度のばらつきがなくなって、据付精度を向上させることができるばかりか、従来のように、たとえば枠状の戸当り２に水準器を当てがう作業員が不要になる。
【００１１】
なお、前記実施の形態では、図示していない開閉機が枠状の戸当り２上位の躯体床部に取付けられるセパレートタイプの可動堰で説明しているが、開閉機が枠状の戸当り２の上端横架部２Ｂの上面における中央部に開閉機を搭載している直結タイプの可動堰にも適用することができる。また、これら可動堰のみならず、水路または水槽などの放流端に設けた枠状の戸当りに沿って扉体を昇降させることで、水路や水槽などの開閉または締切りなどに使用される制水扉（ゲート）にも適用することができる。さらに、水準器１２を一つの第１の水準器１２Ａと、一つの第２の水準器１２Ｂとの一つの組み合わせで構成しているが、複数の第１の水準器１２Ａと、第１の水準器１２Ａと同数の第２の水準器１２Ｂとの複数の組み合わせで水準器１２を構成しても、あるいは一つの第１の水準器１２Ａと複数の第２の水準器１２Ｂとの組み合わせや複数の第１の水準器１２Ａと一つの第２の水準器１２Ｂとの組み合わせで水準器１２を構成してもよい。
【００１２】
【発明の効果】
以上説明したように、本発明の可動堰やゲートなどの扉体昇降式堰止め・締切り装置は構成されているので、以下のような格別な効果を奏する。
【００１３】
すなわち、既に取付けられている水準器を目視することによって、可動堰やゲートなどの扉体昇降式堰止めまたは締切り装置の垂直度（上流側より見て、前後左右）および水平度を確認しながら芯出ししてアンカーセットを行うことで、垂直度および水平度を有する適正な据付姿勢で据付けることができるとともに、据付検査を容易に行うことができるので、従来のように、据付作業中や検査時において水準器を何度もたとえば枠状の戸当りに当てがって確認する煩雑な手間をかける必要がない。このため、据付時間や検査時間を短縮してこれらの作業性の向上に寄与することができる。しかも、水準器を可動堰やゲートの製造メーカにおいて適正な状態で取付けることができるので、据付精度のばらつきがなくなって、据付精度を向上させることができるばかりか、従来のように、たとえば枠状の戸当りに水準器を当てがう作業員が不要になる。
【図面の簡単な説明】
【図１】本発明の一実施の形態であるセパレートタイプの可動堰を示す半截正面図である。
【図２】要部の一実施の形態を示す拡大平面図である。
【図３】従来例の半截正面図である。
【図４】図３の縦断側面図である。
【符号の説明】
１  水路
２  枠状の戸当り
２Ａ  呑口
３  案内板
４  扉体
４Ａ  扉体の幅方向両端部
５  扉体シート（扉体側止水板）
６  戸当りシート（戸当り側止水板）
１２  水準器
【図１】
2004190243.tif 000003
【図２】
2004190243.tif 000004
【図３】
2004190243.tif 000005
【図４】
2004190243.tif 000006